(57)【要約】【課題】隣り合って設置される両枠組足場間に布板を布板間段差無しの安全な状態に、或いは該段差が少ない安全な状態に、簡単、容易に渡し設けることを可能にする布板支持体を提供する。隣り合って設置される枠組足場間に布板間段差無しの安全な状態に、或いは該段差の少ない安全な状態に布板を渡し設けた、使いやすい、構造簡単にして安価に済む組み合わせ枠組足場を提供する。【解決手段】建地１１と建地上部間に渡し設けられた横地１２とを有し、横地１２に布板３を支持させる、枠組足場を構成するための門形建枠１の建地上端部に連結可能の建地連結部４２と、該連結部４２を両端部に有する、第２布板５（３ｅ）を支持させるための布板支持部材４１とを含み、布板支持部材４１が建枠横地１２と同じ又は略同じ高さに配置される布板支持体４。布板支持体４を利用した組み合わせ枠組足場Ｘ、Ｙ、Ｚ。【選択図】  図１
2005226383.tif 000002
【特許請求の範囲】
【請求項１】
少なくとも２本の建地と該建地の上部間に渡し設けられた横地とを有し、該横地に布板を支持させることができる、枠組足場を構成するための門形建枠の該建地の上端部に連結可能の建地連結部と、
該建地連結部を両端部に有する、第２布板を支持させるための第２布板支持部材とを含み、
該建地連結部を前記建地の上端部に連結した状態で、該第２布板支持部材が前記門形建枠の横地と同じ又は略同じ高さに配置されることを特徴とする布板支持体。
【請求項２】
前記建地連結部は、
前記建地に上端から差し込み可能のジョイントピンと、
該ジョイントピンに設けられ、前記建地上端面に当接するストッパ部と、
該ストッパ部に設けられた保持部とを含んでおり、
該保持部に前記第２布板支持部材の端部が保持され、前記ジョイントピンが前記建地に上端から差し込まれて前記ストッパ部が該建地上端面に当接することで該第２布板支持部材が前記門形建枠の横地と同じ又は略同じ高さに位置する請求項１記載の布板支持体。
【請求項３】
前記ジョイントピンは、前記建地に上端から差し込み可能のであるとともに上段に配置されることがある上段建枠の建地にその下端から差し込み可能であり、前記ストッパ部は該ジョイントピンの途中に設けられている請求項２記載の布板支持体。
【請求項４】
前記布板支持部材は長さ調整可能である請求項１、２又は３記載の布板支持体。
【請求項５】
前記布板支持部材はトラス構造体と該トラス構造体に対し出入可能の出入部材とを含んでおり、前記建地連結部が該トラス構造体の端部と該出入部材の端部にそれぞれ接続されている請求項４記載の布板支持体。
【請求項６】
第１の方向に沿って組み立てられた第１枠組足場と、該第１方向に対し直角又は略直角な方向に沿って組み立てられた第２枠組足場と、該第１及び第２の枠組足場間に渡し形成された第３枠組足場とを含む組み合わせ枠組足場であり、
前記第１、第２の各枠組足場は、間隔を開けて立て並べられ、それぞれが少なくとも２本の建地と該建地の上部間に渡し設けられた横地とを有する門形建枠群を少なくとも一段含み、所定段の門形建枠群における隣り合う門形建枠の横地間に布板が渡し設けられており、
前記第３枠組足場は、前記第１枠組足場における少なくとも一組の隣り合う２本の建枠の、前記第２枠組足場側の建地間に渡し設けられた布板支持体と、該布板支持体と前記第２枠組足場の前記第１枠組足場側の端に位置する、該布板支持体に対応する高さ位置にある門形建枠横地との間に渡し設けられた第２布板とを含んでおり、
前記布板支持体は、請求項１から５のいずれかに記載の布板支持体であり、該布板支持体における前記建地連結部が前記第１枠組足場における前記隣り合う２本の建枠の第２枠組足場側の建地の上端部に連結されることで該建地間に渡し設けられていることを特徴とする組み合わせ枠組足場。
【請求項７】
隣り合う二つの外壁面が直角又は略直角をなす建物のコーナ部分における該二つの外壁面のうち一方の外壁面に沿って前記第１枠組足場が、他方の外壁面に沿って前記第２枠組足場が組み立てられており、且つ、該第１枠組足場は該一方の外壁面の外側まで延在して前記第２枠組足場に臨む突出端部を含んでおり、
前記第３枠組足場を構成する前記布板支持体は、該第１枠組足場の突出端部を構成している隣り合う２本の建枠の第２枠組足場側の建地間に渡し設けられており、前記第２布板は該布板支持体と該第２枠組足場の前記第１枠組足場側の端に位置する、該布板支持体に対応する高さ位置にある門形建枠横地との間に渡し設けられている、建物コーナ部分に対する請求項６記載の組み合わせ枠組足場。
【請求項８】
前記布板支持体を渡し設けた前記第１枠組足場の建枠の建地と、前記第２枠組足場の該１枠組足場側の端に位置する建枠の建地とが筋交い部材により連結されており、該筋交い部材は、建枠建地に着脱可能で筋交い部材端部の係合孔に係合可能の突起部を有する筋交い取付け部材を介して建枠建地に連結されている請求項６又は７記載の組み合わせ枠組足場。
【請求項９】
第１枠組足場と、該第１枠組足場と平行状に組み立てられた第２枠組足場と、該第１及び第２の枠組足場間に形成された第３枠組足場とを含む組み合わせ枠組足場であり、
前記第１、第２の各枠組足場は、間隔を開けて立て並べられ、それぞれが少なくとも２本の建地と該建地の上部間に渡し設けられた横地とを有する門形建枠群を少なくとも一段含み、所定段の門形建枠群における隣り合う門形建枠における前記横地間に布板が渡し設けられており、
前記第３枠組足場は、該第１、第２の枠組足場間において互いに対応する位置にある該第１、第２枠組足場の門形建枠間に渡し設けられた布板支持体と、隣り合う該布板支持体間に渡し設けられた第２の布板とを含んでおり、
該布板支持体は、請求項１から５のいずれかに記載の布板支持体であり、該布板支持体における前記建地連結部が、前記互いに対応する位置にある第１、第２枠組足場の門形建枠の隣り合う建地の上端部に連結されることで該隣り合う建枠間に渡し設けられていることを特徴とする組み合わせ枠組足場。
【請求項１０】
前記布板支持体を渡し設けた前記第１、第２枠組足場の建枠の建地のうち少なくとも一方と該布板支持体とが筋交い部材により連結されており、該筋交い部材は、建枠建地及び布板支持体に着脱可能で筋交い部材端部の係合孔に係合可能の突起部を有する筋交い取付け部材を介して該建枠建地と布板支持体とに連結されている請求項９記載の組み合わせ枠組足場。
【発明の詳細な説明】
【技術分野】
【０００１】
本発明は、建物の新築、修理、改造、解体等の工事において用いる枠組足場の形成に利用できる布板支持体及び該布板支持体を利用した組み合わせ枠組足場に関する。
【背景技術】
【０００２】
従来、建物の新築、修理、改造、解体等の工事においては枠組足場が採用されてきた。  枠組足場には種々の構造のものがあるが、今日における代表例として、例えば特開平２００３−１４７９５４号公報、特開平２００３−２０７８８号公報等に記載されているものを挙げることができる。この種の枠組足場は図８に例示するように、門形建枠１、隣り合う建枠１を連結する筋交い部材２及び建枠１に渡し設ける布板３を含んでいる。
【０００３】
図８では、建枠１を所定間隔で立て並べるとともに各隣り合う建枠１同士を筋交い部材２で連結した建枠群を上下２段に重ね、最上段の建枠群における隣り合う建枠間に布板３を渡し設けた例が示されている。
【０００４】
門形建枠１は、図９に示すように、複数本（図示例では対をなす２本）の建地１１と、該建地の上部間に渡し設けられた横地１２とを含んでいる。図示例では、建地１１と横地１２には補強部材１４が渡し設けられている。各建地１１は、通常、中空パイプ構造のものであり、上端からでも、下端からでもジョイントピン１３を差し込めるようになっている。
【０００５】
ジョイントピン１３は建枠１を上下方向に複数段に接続していくためのものであり、途中に建地端面に当接するストッパ部１３１を有している。ピン１３のストッパ部１３１より下側部分を建地１１にその上端から、ストッパ部が建地上端面に当接するまで差し込むことができ、ストッパ部１３１より上側部分を上段の建地１１にその下端から、ストッパ部が建地下端面に当接するまで差し込むことができる。
【０００６】
各建地１１の上下の各端部にはボルト通し孔１１１が形成されているとともに、ジョイントピン１３の上下の各端部にも該建地ボルト通し孔１１１に対応するボルト通し孔１３２が形成されている。建地端部に差し込まれるジョイントピン１３は、図８に示すように、これらボルト通し孔１１１、１３２に挿通されるボルトｂとこれに螺合されるナットｎにて建地１１に抜け止め固定される。なお、図９では該ボルト・ナットの図示を省略してある。
【０００７】
また、各建地１１には筋交い部材端部のピン係合孔（図示省略）を係合させる突起部１５が上下に設けられており、図８に示すように、各段の建枠群における隣り合う建枠において隣同士となる建地１１間に２本の筋交い部材２がクロス形に配置され、各筋交い部材２の各端部のピン係合孔が該突起部１５に係合固定される。
【０００８】
布板３は、図１０に示すように、プレート部分３１とこれを建枠横地１２に係合させる部分とを有するものである。図示例では、プレート部分３１の両端部にフック３２を突設したものであり、該フックを門形建枠１の横地１２に掛けることで、隣り合う建枠間に渡し設けることができ、該布板上に作業者が乗って作業を行える。
【０００９】
【特許文献１】特開平２００３−１４７９５４号公報
【特許文献２】特開平２００３−２０７８８号公報
【発明の開示】
【発明が解決しようとする課題】
【００１０】
しかしながら、従来の枠組足場によると、例えば次のような問題がある。
すなわち、図１１に例示するように、前記と同様の門形建枠１、筋交い部材２、２’（２’は部材２より若干短い）、布板３、３’（３’はプレート部分３１’の長さが布板３のそれより若干短い）等を用いて、建物ＢＬのコーナー部分ＢＬＣ、さらに言えば隣り合う二つの外壁面Ｗ１、Ｗ２が直角或いは略直角をなす建物コーナー部分ＢＬＣに対し、一方の外壁面Ｗ１に沿って第１枠組足場Ａを、他方の外壁面Ｗ２に沿って第２枠組足場Ｂを組み立て、且つ、それら枠組足場Ａ、Ｂを連続させるべく、例えば第１枠組足場Ａを外壁面Ｗ１より外側へ突出させ、その突出端部Ａ’を第２枠組足場Ｂに臨ませたとき、該突出端部Ａ’と足場Ｂとの間に大きい隙間αができることがあり、危険である。
【００１１】
このような状態が生じたときには、例えば第２枠組足場Ｂの端に位置する建枠１の横地１２に掛け設けた布板３”の自由端部を第１枠組足場突出端部Ａ’における布板３’上に載置するのであるが、両布板３’、３”間に段差が生じ、これも足場上での作業にとっては危険である。
なお、図１１においてｎｅは枠組足場Ａ、Ｂと建物ＢＬとの間に張設された物品落下防止用ネットである。
【００１２】
以上は従来の枠組足場における問題の１例であるが、一般的に言って、二つの枠組足場を互い直交状に設置する場合において、両者間を埋めて両者を連続させて使用したい場合には同様の問題が生じることがある。
【００１３】
また、二つの枠組足場を平行状に設置しなければならない場合において、両者間を埋めて使用したい場合において、両者間にそれらと同様の構造の第３の枠組足場を設置し得るスペースが無い場合があったり、そのような枠組足場を設置できる場合でも、隣り合う枠組足場間に大きい隙間ができて危険であったり、該危険を低減するため隣り合う枠組足場間に布板を渡し設けると、布板間に段差が生じて危険な場合がある。
【００１４】
そこで本発明は、隣り合って設置される両枠組足場間に、布板間段差無しの安全な状態に、或いは該段差が少ない安全な状態に、布板を簡単、容易に渡し設けることを可能にする布板支持体を提供することを課題とする。
【００１５】
また本発明は、隣り合って設置される枠組足場間に、布板間段差無しの安全な状態に、或いは該段差の少ない安全な状態に布板を渡し設けた、構造簡単にして安価に済む組み合わせ枠組足場を提供することを課題とする。
【課題を解決するための手段】
【００１６】
本発明は前記課題を解決するため次の布板支持体及び組み合わせ枠組足場を提供する。（１）布板支持体
少なくとも２本の建地と該建地の上部間に渡し設けられた横地とを有し、該横地に布板を支持させることができる、枠組足場を構成するための門形建枠の該建地の上端部に連結可能の建地連結部と、
該建地連結部を両端部に有する、第２布板を支持させるための第２布板支持部材とを含み、
該建地連結部を前記建地の上端部に連結した状態で、該第２布板支持部材が前記門形建枠の横地と同じ又は略同じ高さに配置される布板支持体。
【００１７】
この布板支持体によると、例えば互いに直交状に設置される二つの枠組足場を繋ぐ第３の枠組足場や、互いに平行状に設置される二つの枠組足場を繋ぐ第３の枠組足場を簡単、容易に安価に作ることができる。
【００１８】
例えば互いに直交状に設置される二つの枠組足場を繋ぐ第３の枠組足場を形成するときには、該布板支持体を、該二つの枠組足場のうち一方の枠組足場における他方の枠組足場の端部に臨む部分を形成している隣り合う建枠の建地間に渡し設ければよい。すなわち、布板支持体両端部の建地連結部を該隣り合う建枠建地の上端部に連結することで該建地連結部間の布板支持部材を建枠の横地と同じ又は略同じ高さに簡単、容易に設置することができる。そして、この布板支持部材と前記他方の枠組足場の端部にある建枠の横地とに第２の布板を渡し設けて第３の枠組足場を簡単、容易に形成することができる。しかも、このとき、布板支持体を構成している布板支持部材は建枠の横地と同じ又は略同じ高さに配置されているから、該第２の布板は前記互いに直交状に設置される二つの枠組足場における布板と同じ高さ又は略同じ高さに配置され、かくして布板間の段差が無い安全な状態を、或いは該段差が少ない安全な状態を得ることができる。
【００１９】
また、例えば平行状に設置される二つの枠組足場を繋ぐ第３の枠組足場を形成するときには、布板支持体を、該二つの枠組足場同士において互いに対応する位置にある隣り合う建枠の建地間に渡し設ければよい。すなわち、布板支持体両端部の建地連結部を該隣り合う建枠建地の上端部に連結することで該建地連結部間の布板支持部材を建枠の横地と同じ又は略同じ高さに簡単、容易に設置することができる。
【００２０】
そして、このように両枠組足場間に渡し設けた布板支持部材間に第２の布板を渡し設けて第３の枠組足場を簡単、容易に形成することができる。しかも、このとき、布板支持体を構成している布板支持部材は建枠の横地と同じ又は略同じ高さに配置されているから、該第２の布板は前記互いに平行状に設置される二つの枠組足場における布板と同じ高さ又は略同じ高さに配置され、かくして布板間の段差が無い安全な状態を、或いは該段差が少ない安全な状態を得ることができる。
【００２１】
いずれにしても、前記建地連結部としては、構造簡単にして布板支持部材を簡単確実に保持できるものが好ましく、その代表例として、
前記建地に上端から差し込み可能のジョイントピンと、
該ジョイントピンに設けられ、前記建地上端面に当接するストッパ部と、
該ストッパ部に設けられた保持部とを含んでおり、
該保持部に前記第２布板支持部材の端部が保持され、前記ジョイントピンが前記建地に上端から差し込まれて前記ストッパ部が該建地上端面に当接することで該第２布板支持部材が前記門形建枠の横地と同じ又は略同じ高さに位置するものを挙げることができる。
【００２２】
かかる建地連結部を採用する場合、前記ジョイントピンは、前記建地に上端から差し込み可能のであるとともに上段に配置されることがある上段建枠の建地にその下端から差し込み可能なものとし、前記ストッパ部を該ジョイントピンの途中に設けてもよい。
【００２３】
また、前記布板支持部材は長さ調整可能なものでもよい。その例として、トラス構造体と該トラス構造体に対し出入可能の出入部材とを含んでおり、前記建地連結部が該トラス構造体の端部と該出入部材の端部にそれぞれ接続されている、強度上有利な布板支持部材を挙げることができる。                                                                
【００２４】
本発明は前記のようにして形成される次の二つのタイプの組み合わせ枠組足場も提供する。以下の組み合わせ足場は、本発明に係る布板支持体を利用することで、簡単、容易に安価に形成することができ、しかも、布板間の段差が無い安全な状態に、或いは該段差の少ない安全な状態に形成できる。
【００２５】
（２）組み合わせ枠組足場
(2-1) 第１タイプの組み合わせ枠組足場
第１の方向に沿って組み立てられた第１枠組足場と、該第１方向に対し直角又は略直角な方向に沿って組み立てられた第２枠組足場と、該第１及び第２の枠組足場間に渡し形成された第３枠組足場とを含む組み合わせ枠組足場であり、
前記第１、第２の各枠組足場は、間隔を開けて立て並べられ、それぞれが少なくとも２本の建地と該建地の上部間に渡し設けられた横地とを有する門形建枠群を少なくとも一段含み、所定段の門形建枠群における隣り合う門形建枠の横地間に布板が渡し設けられており、
前記第３枠組足場は、前記第１枠組足場における少なくとも一組の隣り合う２本の建枠の、前記第２枠組足場側の建地間に渡し設けられた布板支持体と、該布板支持体と前記第２枠組足場の前記第１枠組足場側の端に位置する、該布板支持体に対応する高さ位置にある門形建枠横地との間に渡し設けられた第２布板とを含んでおり、
前記布板支持体は、前記（１）に記載の布板支持体であり、該布板支持体における前記建地連結部が前記第１枠組足場における前記隣り合う２本の建枠の第２枠組足場側の建地の上端部に連結されることで該建地間に渡し設けられている組み合わせ枠組足場。
【００２６】
この第１タイプの組み合わせ枠組足場は、例えば、建物のコーナー部分に対する建物コーナー組み合わせ枠組足場として利用することができる。すなわち、
隣り合う二つの外壁面が直角又は略直角をなす建物のコーナ部分における該二つの外壁面のうち一方の外壁面に沿って前記第１枠組足場が、他方の外壁面に沿って前記第２枠組足場が組み立てられており、且つ、該第１枠組足場は該一方の外壁面の外側まで延在して前記第２枠組足場に臨む突出端部を含んでおり、
前記第３枠組足場を構成する前記布板支持体は、該第１枠組足場の突出端部を構成している隣り合う２本の建枠の第２枠組足場側の建地間に渡し設けられており、前記第２布板は該布板支持体と該第２枠組足場の前記第１枠組足場側の端に位置する、該布板支持体に対応する高さ位置にある門形建枠横地との間に渡し設けられている、建物コーナ部分に対する前記(2-1) 記載の組み合わせ枠組足場である。
【００２７】
いずれにしても、前記布板支持体を渡し設けた前記第１枠組足場の建枠の建地と、前記第２枠組足場の該１枠組足場側の端に位置する建枠の建地とを筋交い部材により連結してもよい。この場合、該筋交い部材を、建枠建地に着脱可能で筋交い部材端部の係合孔に係合可能の突起部を有する筋交い取付け部材を介して建枠建地に連結する例を挙げることができる。
【００２８】
(2-2) 第２タイプの組み合わせ枠組足場
第１枠組足場と、該第１枠組足場と平行状に組み立てられた第２枠組足場と、該第１及び第２の枠組足場間に形成された第３枠組足場とを含む組み合わせ枠組足場であり、
前記第１、第２の各枠組足場は、間隔を開けて立て並べられ、それぞれが少なくとも２本の建地と該建地の上部間に渡し設けられた横地とを有する門形建枠群を少なくとも一段含み、所定段の門形建枠群における隣り合う門形建枠における前記横地間に布板が渡し設けられており、
前記第３枠組足場は、該第１、第２の枠組足場間において互いに対応する位置にある該第１、第２枠組足場の門形建枠間に渡し設けられた布板支持体と、隣り合う該布板支持体間に渡し設けられた第２の布板とを含んでおり、
該布板支持体は、前記（１）に記載の布板支持体であり、該布板支持体における前記建地連結部が、前記互いに対応する位置にある第１、第２枠組足場の門形建枠の隣り合う建地の上端部に連結されることで該隣り合う建枠間に渡し設けられている組み合わせ枠組足場。
【００２９】
この第２タイプの足場においては、前記布板支持体を渡し設けた前記第１、第２枠組足場の建枠の建地のうち少なくとも一方と該布板支持体とを筋交い部材により連結してもよい。該筋交い部材は、例えば、建枠建地及び布板支持体に着脱可能で筋交い部材端部の係合孔に係合可能の突起部を有する筋交い取付け部材を介して該建枠建地と布板支持体とに連結することができる。
なお、第１、第２のいずれのタイプの組み合わ枠組足場においても、第１、第２の各枠組足場における門形建枠は隣り合うもの同士を適宜筋交い部材で連結してもよい。
【発明の効果】
【００３０】
以上説明したように本発明によると、隣り合って設置される両枠組足場間に布板を布板間段差無しの安全な状態に、或いは該段差が少ない安全な状態に、簡単、容易に渡し設けることを可能にする布板支持体を提供することができる。
【００３１】
また本発明によると、隣り合って設置される枠組足場間に布板間段差無しの安全な状態に、或いは該段差の少ない安全な状態に布板を渡し設けた、構造簡単にして安価に済む組み合わせ枠組足場を提供することができる。
【発明を実施するための最良の形態】
【００３２】
以下本発明の実施形態を図面を参照して説明する。
図１（Ａ）は本発明に係る布板支持体の１例を示している。
図１（Ａ）に示す布板支持体４は図８、図９等に例示する門形建枠１の横地１２と同じ外径の金属製パイプからなる布板支持部材４１の両端部に建地連結部４２を有するものである。
【００３３】
各建地連結部４２は、図１（Ｂ）に拡大して示すように、ジョイントピン４２１と、該ジョイントピンの途中に該ピンと一体的に形成されたストッパ部４２２と、該ストッパ部に溶接固定された保持部４２３とを含んでいる。
【００３４】
ピン４２１は中実の金属製の断面円形ロッドであり、その外径は門形建枠１の建地にぐらつき少なく丁度差し込めるものであり、上下の各端部にボルト通し孔４２１ａを有している。ストッパ部４２２は円形に形成されており、その外径は建枠建地１１の外径と同じか、それより僅かに大きい程度のものである。
【００３５】
保持部４２３は、平面から見てＵ字状に曲げられてストッパ部４２２の外周面の略半分に当てがわれるとともに該ストッパ部に溶接固定された部分４２３ａと、該部分から一体的に屈曲下降する一対部分４２３ｂと、該部分４２３ｂの下端間に溶接固定された平板部４２３ｃとからなっている。一対部分４２３ｂのそれぞれにはボルト通し用の長孔４２３ｈが形成されている。部分４２３ａの上下端はストッパ部４２２の上下端間にある。
【００３６】
布板支持部材４１は、ボルト通し孔４１１ａを設けた各端部４１１が対応する保持部４２３の前記一対部分４２３ｂの間に上方から挿入されて平板部４２３ｃに当接され、さらにボルト通し孔４２３ｈと４１１ａにボルト４０（図１（Ａ）参照）が挿通され、反対側から該ボルト４０にナット（図示省略）が螺合緊締されることで保持部４２３に保持される。このように、布板支持体４は構造が簡単で安価に提供し得るものである。
【００３７】
かかる布板支持体４は、図２等に示すようにして用い、布板を掛け設けることができる。
図２は、門形建枠１、筋交い部材２及び布板３等からなる枠組足場例の最上段の門形建枠群における隣り合う建枠１間に布板支持体４を渡し設けた例を示している。
【００３８】
図２に示す例では、布板支持体４は、その両端部の建地連結部４２が隣り合う建枠建地１１の上端部に連結され、布板支持部材４１が該両建地１１間に配置されている。各建地連結部４２の建地１１への連結は、建地連結部４２を構成しているジョイントピン４２１のうちストッパ部４２２より下側部分を建地１１の上端から、該ストッパ部が建地上端面に当接するまで差し込み、建地１１に形成されたボルト通し孔１１１とピン端部のボルト通し孔４２１ａにボルトｂを通し、該ボルトにナットｎを螺合緊締することでなされている。このように配置された布板支持部材４１の高さ位置（上面高さ位置）は建枠横地１２の高さ位置（上面高さ位置）と同じである。
なお、ピン４２１のストッパ部４２２より上側部分は、上段に配置されることがある建枠１１にその下端から差し込んでボルトナットで固定することができる。
【００３９】
このように配置される布板支持部材４１に、隣り合う建枠横地１２間に渡し設けられた布板３と同様の構造の第２の布板５（本例ではプレート部分５１の両端部にフック５２を突設したもの）のフック５２を掛け、該布板５を実質上布板３に対し段差が無い状態で配置することができる。
このような布板支持体４の用い方により、互いに直交状に設置される二つの枠組足場間に第３の枠組足場を形成でき、且つ、第３足場の布板を該直交状に設置される二つの枠組足場にける布板と実質上段差無く、安全な状態に設けることができる。図４はかかる組み合わせ枠組足場の１例である建物コーナー組み合わせ枠組足場の例を示している。これについては後ほど詳述する。
【００４０】
いずれにしても、布板支持体における布板支持部材は、布板支持体を渡し設ける建枠建地間の距離に応じて長さ調節できるようにしておいてもよい。図３はそのような布板支持体の１例４’を示している。布板支持体４’における布板支持部材４１’は、トラス構造体４１ａ’と該トラス構造体に対し出入可能の孔あき出入部材４１ｂ’とからなる軽量にして剛性の高いものである。前記同様の建地連結部４２がトラス構造体４１ａ’端部と出入部材４１ｂ’端部に設けられている。トラス構造体と出入部材の相対的移動はクリップ４１ｃ’で制止できるようにしてある。
【００４１】
次に図４（Ａ）に示す建物コーナー組み合わせ枠組足場について説明する。
図４（Ａ）に示す組み合わせ枠組足場Ｘは、図１１に示すものと同じ枠組足場Ａ、すなわち建物ＢＬのコーナー部分ＢＬＣを形成する外壁面Ｗ１に沿って設置された枠組足場Ａと、該コーナー部分を形成するもう一つの外壁面Ｗ２に沿って設置された枠組足場Ｂ’と、これら足場間に形成された第３の枠組足場Ｃとからなるものである。
【００４２】
枠組足場Ｂ’も足場Ａと同様に、門形建枠１を立て並べ、隣り合う建枠１を筋交い部材２で連結し、隣り合う建枠横地１２間に布板３を渡し設けたものである。足場Ａは外壁面Ｗ１の外側まで突出しており、その突出端部Ａ’が足場Ｂ’に臨んでいる。突出端部Ａ’は隣り合う建枠１と、これらに連結された、筋交い部材２よりやや短い筋交い部材２’と、建枠横地１２に渡し設けられた布板３’とを含んでいる。布板３’はプレート部分３１’の長さが布板３のそれと異なるだけの布板３と同様構造のものである。
【００４３】
この例では、足場Ａの突出端部Ａ’を構成している隣り合う建枠建地１１に、図２に示すと同様にして布板支持体４が渡し設けられている。この布板支持体４の布板支持部材４１と足場Ｂ’の足場Ａ側の端に位置する門形建枠１の横地１２とに第２の布板５が渡し設けられている。布板５は、図１０に示す布板３と同様にプレート部分５１の両端部にフック５２を突設したもので、該フック５２を布板支持部材４１と足場Ｂ’の建枠横地１２に掛けることで布板支持部材４１と建枠横地１２とに渡し設けられている。
【００４４】
布板支持体４における布板支持部材４１の高さ位置（上面高さ位置）は建枠横地１２の高さ位置（上面高さ位置）と同じであり、従って、第３足場Ｃにおける布板５は足場Ａ、Ｂ’の布板３、３’と実質上同じ高さ位置に配置されており、布板５、３、３’間には実質上段差がなく安全であり、また、図１１に示す従来の足場とは異なり、足場Ａと足場Ｂ’との間には危険な隙間が無い。
【００４５】
なお、図４（Ａ）に示す枠組足場Ｘでは、図４（Ｂ）に示すように、第２の布板５を渡し設けた建枠１の建地１１間にクロス配置の筋交い部材２”を連結してある。各筋交い部材２”は図５に示す筋交い取付け部材２０を介して建地１１に連結されている。
【００４６】
筋交い取付け部材２０は、図５に示すように、半割りリング部２０１、２０２をヒンジ２０３で開閉可能に連結し、一方の半割りリング部２０１にボルト２０Ｂの通し孔２０１ａを形成するとともに他方の半割りリング部２０２にボルト２０Ｂを嵌脱可能の二股部２０２ａを形成し、半割りリング部２０１に筋交い部材２”端部の係合孔２ａ”に嵌挿可能の突起部２０４を突設したものである。突起部２０４の先端部にはストッパ部材２０５が連結してあり、該ストッパ部材は、スプリング２０５ａにより突起部と直列状の筋交い部材嵌脱可能姿勢と突起部に対し屈曲する抜け止め姿勢をとることができる。
【００４７】
図４（Ａ）に示す足場Ｘでは、図４（Ｂ）に示すように、かかる筋交い取付け部材２０を布板支持体４を渡し設けた建枠１の各建地１１に上下に装着してボルトナット２０Ｂ、２０Ｎで固定するとともに、足場Ｂ’の端の建枠１の各建地１１にも上下に、同様に装着し、クロス状に配列した筋交い部材２”のそれぞれの端部の係合孔２ａ”を対応する取付け部材２０の突起部２０４に係合し、ストッパ部材２０５を突起部２０４に対し屈曲させて筋交い部材２”を建地間に渡し連結してある。
【００４８】
次に図６に示す組み合わせ枠組足場について説明する。
図６の組み合わせ枠組足場Ｙは、平行状に設置された枠組足場Ｄと、隣り合う足場Ｄ間に形成された第３の枠組足場Ｅとからなるものである。図中真ん中の足場Ｄは建物ＢＬの梁ＢＬＢを形成するコンクリート打設型枠（図示省略）を支持していたものである。型枠取り外しや、その後の作業にも使用される。
【００４９】
各枠組足場Ｄは、図８に示すと同様に、門形建枠１、隣り合う建枠を連結する筋交い部材２、隣り合う建枠横地１２間に渡し設けられた布板３等からなるものである。
隣り合う足場Ｄの互いに対応する位置にある建枠１の建地１１間に布板支持体４を渡し設けるとともに、隣り合う（図面に垂直方向に隣り合う）布板支持体４の布板支持部材４１間に第２の布板３ｅ（本例では幅が異なる以外は布板３と同じ布板）を渡し設けて第３の枠組足場Ｅを形成してある。
【００５０】
布板支持体４を支持している隣り合う建地１１のうち一方のものと、該布板支持体の布板支持部材４１とに筋交い部材２００を連結してある。各筋交い部材２００は図５に示す筋交い取付け部材２０を建地１１、布板支持部材４１のそれぞれに装着し、該部材２０を介して建地１１と布板支持部材４１とに連結してある。
【００５１】
図６の組み合わせ枠組足場Ｙにおいても、第３の足場Ｅは、布板支持部材４１の高さを建枠横地１２の高さと実質上同じにして配置できる布板支持体４を利用して形成してあるので、各足場Ｄの布板３と第３の足場Ｅの布板３ｅとの間には実質上段差がなく、作業者Ｐはそれら布板３、３ｅ上で、それだけ安全に所定の作業を行える。また、布板間に実質上段差がないので使いやすい。
【００５２】
図７に示す組み合わせ枠組足場Ｚは、図６とは異なる位置に図６と同様に平行状に設置された枠組足場Ｄと、隣り合う足場Ｄ間に形成された第３の枠組足場Ｅとからなるものである。図７の組み合わせ枠組足場においても、図６の組み合わせ枠組足場と同様に、足場Ｄの布板３と足場Ｅの布板３ｅとの間には実質上段差がなく、作業者Ｐはそれら布板３＠３ｅ上で、それだけ安全に所定の作業を行える。また、それら布板３、３ｅに渡って建築資材等６を安定的に載置することもできるなど、使いやすい。
【産業上の利用可能性】
【００５３】
本発明は、各種建物の新築、修理、改造、解体等の工事において用いる枠組足場に適用できる。
【図面の簡単な説明】
【００５４】
【図１】図１（Ａ）は本発明に係る布板支持体例の側面図であり、図１（Ｂ）は該支持体の建地連結部を含む部分の拡大斜視図である。
【図２】図１に示す布板支持体の使用例を示す図である。
【図３】長さ調節可能の布板支持体例の側面図である。
【図４】図４（Ａ）は図１に示す布板支持体を利用して形成した組み合わせ枠組足場例の平面図であり、図４（Ｂ）は該組み合わせ枠組足場における第３足場の筋交い部材取付け例を示す図である。
【図５】図５（Ａ）は筋交い取付け部材例の平面図であり、図５（Ｂ）は同部材を背面側から見た図である。
【図６】図１に示す布板支持体を利用して形成した組み合わせ枠組足場の他の例を示す図である。
【図７】図１に示す布板支持体を利用して形成した組み合わせ枠組足場のさらに他の例を示す図である。
【図８】従来の、門形建枠等を利用した枠組足場例の一部の正面図である。
【図９】図８に示す枠組足場の側面図である。
【図１０】布板例の斜視図である。
【図１１】建物コーナー部分に対する枠組足場の従来例の平面図である。
【符号の説明】
【００５５】
１  門形建枠
１１  建地
１１１  ボルト通し孔
１２  横地
１３  ジョイントピン
１３１  ストッパ部
１３２  ボルト通し孔
１４  補強部材
１５  筋交い部材係合用突起部
２、２’  筋交い部材
３、３’、３”、３ｅ  布板
３１  プレート部分
３２  フック
ｂ  ボルト
ｎ  ナット
ＢＬ  建物
ＢＬＣ  建物コーナー部分
Ｗ１、Ｗ２  外壁面
Ａ  第１枠組足場
Ａ’  足場Ａの突出端部
Ｂ  第２枠組足場
α  突出端部Ａ’と足場Ｂとの隙間
ｎｅ  物品落下防止用ネット
４  布板支持体
４１  布板支持部材
４１１  部材４１の端部
４１１ａ  ボルト通し孔
４２  建地連結部
４２１  ジョイントピン
４２２  ストッパ部
４２３  保持部
４２１ａ  ボルト通し孔
423a、423b、423c  保持部４２３の一部
４０  ボルト
５  第２の布板
５１  プレート部分
５２  フック
４’  長さ調整可能の布板支持体
４１’  布板支持部材
４１ａ’トラス構造体
４１ｂ’孔あき出入部材
４１ｃ’クリップ
Ｘ  組み合わせ枠組足場
Ｂ’  枠組足場
Ｃ  足場Ａ、Ｂ’に対する第３の枠組足場
２”  筋交い部材
２ａ”  係合孔
２０  筋交い取付け部材
２０１、２０２  半割りリング部
２０１ａ  ボルト通し孔
２０２ａ  二股部
２０３  ヒンジ
２０４  突起部
２０５  ストッパ部材
２０５ａ  スプリング
２０Ｂ  ボルト
２０Ｎ  ナット
Ｙ  組み合わせ枠組足場
Ｄ  平行上設置の枠組足場
Ｅ  足場Ｄに対する第３の枠組足場
ＢＬＢ  建物梁
２００  筋交い部材
Ｐ  作業者
６  建築資材等
【図１】
2005226383.tif 000003
【図２】
2005226383.tif 000004
【図３】
2005226383.tif 000005
【図４】
2005226383.tif 000006
【図５】
2005226383.tif 000007
【図６】
2005226383.tif 000008
【図７】
2005226383.tif 000009
【図８】
2005226383.tif 000010
【図９】
2005226383.tif 000011
【図１０】
2005226383.tif 000012
【図１１】
2005226383.tif 000013